(57)【要約】【課題】携帯端末の電池により様々な種類の電気機器を駆動させるための電力供給デバイスを提供すること。【解決手段】ユーザが操作部１２０の操作により電力供給デバイスを指定すると、制御部１００は、指定された電電力供給デバイスを出力設定部１４０に設定する。出力電力生成部１６０は、電池１５０からの出力を、出力設定部１４０に設定された情報に従い電力変換し、外部接続部１７０を介して他の電気機器３への電力供給を行う【選択図】  図２
2012222936.tif 000002
【特許請求の範囲】
【請求項１】
自端末を駆動する電力を供給するための電池と、
ユーザ操作を受け付ける操作部と、
自端末がサポートする一又は複数の電力供給デバイスの一覧情報を保持する記憶部と、
前記操作部のユーザ操作に基づき、前記電力供給デバイスの一覧から選択された前記電力供給デバイスに応じて、他の電気機器の駆動用に前記電池の電力を変換するための設定を行う出力設定部と、
前記出力設定部の設定に基づき、自端末以外の他の電気機器の駆動用に前記電池の電力を変換する出力電力生成部と、
前記出力電力生成部で変換した前記電池の電力を外部へ出力する外部出力部とを備える携帯端末。
【請求項２】
前記外部出力部が、
他の電気機器に接続されたか否かを検出する外部接続検出部を備え、
前記出力設定部は、
前記外部接続検出部が、前記外部出力部が他の電気機器に接続されていないことを検出した場合には、前記外部出力部の外部への出力を停止して、前記他の電気機器への電力供給を終了する、請求項１に記載の携帯端末。
【請求項３】
報知デバイス及びタイマーを備える制御部を備え、
ユーザにより指定された時間が経過すると、前記報知デバイスによりアラームを鳴らす、請求項１又は２に記載の携帯端末。
【請求項４】
前記制御部は、
前記操作部のユーザ操作に基づき指定された時間が経過すると、前記出力設定部に前記他の電気機器への電力供給の解除を指示する、請求項３に記載の携帯端末。
【請求項５】
報知デバイスを備える制御部と、
前記電池の残量を測定する電池残量測定部を備え、
前記出力設定部は、
前記電池残量測定部の測定結果に基づき、前記操作部のユーザ操作に基づき指定された電池の残量に達すると、前記報知デバイスによりアラームを鳴らす、請求項１又は２に記載の携帯端末。
【請求項６】
前記制御部は、
前記操作部のユーザ操作に基づき指定された電池の残量に達すると、前記出力設定部に前記他の電気機器への電力供給の解除を指示する、請求項５に記載の携帯端末。
【発明の詳細な説明】
【技術分野】
【０００１】
本発明は、電池で動作する携帯端末に関し、携帯端末を駆動するための電池を用いて外部に電力を供給する技術に関するものである。
【背景技術】
【０００２】
携帯端末に適用可能な携帯電話機は、内蔵する電池から供給される電力で通常動作する。そのため、利用者は電池の充電を定期的に行う必要がある。しかし、消費電力は、使用する携帯電話機の機能とその使用頻度により異なる。そのため、ユーザが意図せず、大量の電力を消費する場合がある。
【０００３】
また、利用者が携帯電話機の電池の充電を忘れてしまうと、利用者が実際に使用したい時には電池が切れた状態で携帯電話機を使用することができない場合がある。上述のような場合を想定し、他の携帯電話機から電力を供給する技術が開発されている(特許文献１参照)。
【先行技術文献】
【特許文献】
【０００４】
【特許文献１】特開２００６−２８７５５５号公報
【発明の概要】
【発明が解決しようとする課題】
【０００５】
しかし、電池や外部からの給電により動作する電気機器の種類は多く、その電気機器に電力を供給する手段も様々である。例えば、携帯電話機に適用できる電池として、太陽光発等による自己充電機能をもつもの、又は燃料電池等がある。
【０００６】
本発明の目的は、携帯端末の電池を用いて、身近にある様々な電気機器を駆動させるための電力供給デバイスを提供することである。
【課題を解決するための手段】
【０００７】
本発明は、自端末を駆動する電力を供給するための電池と、ユーザ操作を受け付ける操作部と、自端末がサポートする一又は複数の電力供給デバイスの一覧情報を保持する記憶部と、前記操作部のユーザ操作に基づき、前記電力供給デバイスの一覧から選択された前記電力供給デバイスに応じて、他の電気機器の駆動用に前記電池の電力を変換するための設定を行う出力設定部と、前記出力設定部の設定に基づき、自端末以外の他の電気機器の駆動用に前記電池の電力を変換する出力電力生成部と、前記出力電力生成部で変換した前記電池の電力を外部へ出力する外部出力部とを備える携帯端末を提供する。
【０００８】
上記携帯端末は、前記外部出力部が他の電気機器に接続されたか否かを検出する外部接続検出部を備え、前記出力設定部は、前記外部接続検出部が、前記外部出力部が他の電気機器に接続されていないことを検出した場合には、前記外部出力部の外部への出力を停止して、前記他の電気機器への電力供給を終了する。
【０００９】
上記携帯端末は、報知デバイス及びタイマーを備える制御部を備え、ユーザにより指定された時間が経過すると、前記報知デバイスによりアラームを鳴らす。
【００１０】
上記携帯端末では、前記制御部は、前記操作部のユーザ操作に基づき指定された時間が経過すると、前記出力設定部に前記他の電気機器への電力供給の解除を指示する。
【００１１】
上記携帯端末は、報知デバイスを備える制御部と、前記電池の残量を測定する電池残量測定部を備え、前記出力設定部は、前記電池残量測定部の測定結果に基づき、前記操作部のユーザ操作に基づき指定された電池の残量に達すると、前記報知デバイスによりアラームを鳴らす。
【００１２】
上記携帯端末では、前記制御部は前記操作部のユーザ操作に基づき指定された電池の残量に達すると、前記出力設定部に前記他の電気機器への電力供給の解除を指示する。
【発明の効果】
【００１３】
本発明に係る携帯端末によれば、携帯端末の電池により様々な種類の電気機器を駆動させるための電力供給デバイスを提供できる。
【図面の簡単な説明】
【００１４】
【図１】本発明の実施の形態１に係る携帯端末１による外部への電力供給のイメージ図
【図２】実施の形態１に係る携帯端末１の機能ブロック図
【図３】電力供給デバイス情報の一例
【図４】（ａ）「外部供給設定」画面メニュー、（ｂ）電力供給デバイス情報の一覧
【図５】実施の形態２に係る携帯端末１Ａの機能ブロック図
【図６】他の電気機器３への電力の供給時間設定例
【図７】実施の形態３に係る携帯端末１Ｂの機能ブロック図
【図８】電池１５０の電力残量設定の一例
【発明を実施するための形態】
【００１５】
以下、本発明の実施形態について、図面を参照して説明する。
【００１６】
（実施の形態１）
図１は、本発明の実施の形態１に係る携帯端末１から他の電気機器３に電力供給を行う際のイメージ図である。図１に示す携帯端末１は、携帯端末１から他の電気機器３（例えば、デジタルカメラ）に電力を供給するためのケーブル２が接続される。
【００１７】
ケーブル２の一端の端子２ａは、携帯端末１の電力供給用の端子に接続され、その他端の端子２ｂは、他の電気機器３の充電用の端子に接続される。なお、ケーブル２は、他の電気機器３に電力を供給する以外にも、他の電気機器３とのデータ通信等に使用することができる。このケーブル２を介して、携帯端末１から他の電気機器３に電力供給がおこなわれる。
【００１８】
なお、図１では、他の電気機器３は一つであるが、携帯端末１は、様々な電気機器に対応し、ケーブル２もそれに応じて複数種類存在する。
【００１９】
図２は、本実施の形態に係る携帯端末１において、他の電気機器３に電力供給するための機能ブロック図である。なお、携帯端末１には、その他にも通信に用いるアンテナやプロセッサ、マイク等の一般的な携帯端末の機能ブロックも存在するが、本実施の形態ではその詳細な説明を省略する。
【００２０】
図２に示す携帯端末１は、制御部１００と、表示部１１０と、操作部１２０と、出力タイプ情報記憶部１３０と、出力設定部１４０と、電池１５０と、出力電力生成部１６０と、外部接続部１７０とを備える。
【００２１】
図２〜図４（ｂ）を参照し、本実施の形態に係る携帯端末１において、他の電気機器３に電力を供給する設定方法について説明する。
【００２２】
操作部１２０は、例えばキー、タッチパネル等で構成され、ユーザ操作に従う指示を、制御部１００に通知する。
【００２３】
表示部１１０は、メニューや画像などの様々な情報を表示する機能を有する。表示部１１０は、例えば操作部１２０が一体となったタッチパネルで構成される。
【００２４】
操作部１２０のユーザ操作により、表示部１１０には、図４（ａ）に示す「外部供給設定」画面メニューが表示される。
そして、操作部１２０のユーザ操作により、「外部供給設定」画面メニューから（１）”ＯＮ（供給タイプ選択）（斜線部）”が選択されると、外部供給設定ＯＮの通知が操作部１２０から制御部１００へ出力される。
【００２５】
そして、制御部１００は、操作部１２０から入力された外部供給設定ＯＮの通知に基づき、出力タイプ情報記憶部１３０から、携帯端末１に適用可能な電力供給デバイスの一覧を示す電力供給デバイス情報（図３参照）を参照し、表示部１１０にこの電力供給デバイス情報を一覧を「外部供給タイプ選択」画面として表示する（図４（ｂ）参照）。
【００２６】
図３に、「出力タイプ情報」として、電力供給デバイス情報の一例を示す。図３に示すように、携帯端末１がサポートする電力供給デバイスとしては、例えば、ＵＳＢ、ＤＣプラグ、ＩＥＥＥ１３９４、電池（出力１．５[Ｖ]）、電池（３．０[Ｖ]）がある。なお、図３に示す電力供給デバイスは一例であり、これに限るものではない。例えば、イーサネットなどがある。
【００２７】
図４（ｂ）に電力供給デバイス情報の一覧を示す。図４に示すように、表示部１１０には携帯端末１がサポートする電力供給デバイスの一覧が表示される。この一覧には、ＵＳＢ、ＤＣプラグ、ＩＥＥＥ１３９４、電池（出力１．５[Ｖ]）、電池（３．０[Ｖ]）が表示されている。
【００２８】
そして、ユーザが操作部１２０の操作により、図４（ｂ）に示す一覧から、電力供給デバイスを指定すると、制御部１００は指定された電力供給デバイスを出力設定部１４０に設定する。
【００２９】
出力電力生成部１６０は、電池１５０からの出力を、出力設定部１４０に設定された情報（指定された電力供給デバイス）に従って電力変換し、外部接続部１７０に接続されたケーブルを介して、他の電気機器３に電力供給を行う。
【００３０】
なお、図３および図４（ａ）、（ｂ）では電圧の異なる電池を一覧表示で選択する例について示したが、設定を２つに分離し、外部への電力供給のインタフェースを選択し、その後で電圧等を設定してもよい。
【００３１】
本実施の形態に係る携帯端末１では、出力設定部１４０が、携帯端末１がサポートする電力供給デバイス情報に基づき、駆動したい電気機器に電力を供給するための電力供給デバイスを指定し、出力電力生成部１６０がこの指定された電力供給デバイスに適用できるように携帯端末１の電池から出力された電力を変換する。そのため、本実施の形態に係る携帯端末１によれば、携帯端末１の電池１５０を用いて、身近にある様々な種類の電気機器を駆動させるための電力供給デバイスを提供することができる。
【００３２】
（実施の形態２）
実施の形態１では、他の電気機器３への電力供給を行う際の基本的な機能ブロックのみを示したが、利便性を増すための付加機能を備える場合について、図５を参照して説明する。図５は、実施の形態２に係る携帯端末１Ａの機能ブロック図である。
【００３３】
実施の形態２に係る携帯端末１Ａが、図２に示す携帯端末１と異なる点は、（１）外部接続検出部１８０が追加されている点と、（２）外部接続部１７０の機能を電力出力部１７１と電力入力部１７２とスイッチ１７３とに分離している点と、（３）出力設定部１４０の代わりに出力設定部１４０Ａを設けた点である。出力設定部１４０Ａは、出力設定部１４０の機能に加えて、外部接続部１７０を制御する機能を備える。以下、主に変更点を説明し、実施の形態１と共通する構成については、同じ参照符号を付記し、その詳細な説明を省略する。
【００３４】
外部接続検出部１８０は、外部接続部１７０が外部接続されているか否かを検出し、その検出結果を制御部１００に通知する。
【００３５】
制御部１００は、外部接続検出部１８０の検出結果に基づき、外部接続部１７０がケーブル２を介して他の電気機器３と接続されていると判定した場合には、出力設定部１４０Ａの設定を行う。また、制御部１００は、外部接続検出部１８０の検出結果に基づき、外部接続部１７０がケーブル２などにより他の電気機器３と接続されていないと判定した場合には、制御部１００は出力設定部１４０Ａの設定を行わない。
【００３６】
また、出力設定部１４０Ａは、制御部１００により出力設定が行われるとスイッチ１７３を電力出力部１７１側に切り替え接続する。なお、外部接続部１７０が外部接続されていない場合は、他の電気機器３への電力供給ができないことをユーザに表示部１１０を介して通知し、出力設定部１４０Ａの設定を行わない。
【００３７】
また、他の電気機器３への電力供給を開始した後、外部接続部１７０の外部接続が解除されたことを外部接続検出部１８０が検出すると、制御部１００はこの検出結果に基づき、電力供給設定の終了を出力設定部１４０Ａに設定する。すなわち、他の電気機器３との接続が解除されたことを検出すると、自動的に他の電気機器３への電力供給設定を終了する。この際、出力設定部１４０Ａは電力供給設定が解除されるとスイッチ１７３を電力入力部１７２側と接続する。
【００３８】
実施の形態２に係る携帯端末１Ａは、ユーザが明示的に他の電気機器３への電力供給設定を終了しなくとも、外部接続検出部１８０の検出結果に基づき、制御部１００が電力供給設定の終了を出力設定部１４０Ａに設定することができる。そのため電力供給設定の解除を行わなかった場合でも、充電器に接続した場合に発生しうる電気的な問題を回避できる。
【００３９】
さらに、本実施の形態に係る携帯端末１Ａでは、実施の形態１と同様、出力設定部１４０Ａが、携帯端末１Ａがサポートする電力供給デバイス情報に基づき、駆動したい他の電気機器３に電力を供給するための電力供給デバイスを指定する。そして、出力電力生成部１６０がこの指定された電力供給デバイスに適用できるように携帯端末の電池から出力された電力を変換する。そのため、本実施の形態に係る携帯端末１Ａによれば、携帯端末１Ａの電池１５０を用いて、身近にある様々な種類の電気機器を駆動させるための電力供給デバイスを提供することができる。
【００４０】
なお、他の電気機器３へ電力供給を行う時間を指定してもよい。他の電気機器３への電力の供給時間の設定例を図６に示す。図６に示すように、ユーザは、表示部１１０で他の電気機器３に電力を供給する電力供給時間を任意に設定することができる。この場合、携帯端末１Ａでは、制御部１００が内蔵するタイマーにより、ユーザから指定された供給時間（図６では、３０分）経過したことを検知すると、出力設定部１４０Ａに電力供給設定の解除を指示する。これにより、他の電気機器３への電力供給量を制限することができる。
【００４１】
また、他の電気機器３への電力供給を終了せずに、制御部１００が内蔵する報知デバイスにより、アラームを鳴らすといった方法を用いてもよい。さらに、指定された時間に到達する少し前にアラームを鳴らし、指定された時間に到達した場合には電力供給を終了するといったことも可能である。
【００４２】
（実施の形態３）
携帯端末が他の電気機器３に電力を供給し続けると、電池１５０の電力全てを使い果たしてしまう場合がある。そこで、本実施の形態では、予め他の電気機器３への電力供給量を指定して、電池１５０の電力全てを使い果たしてしまうことを防ぐ。以下、図７を参照して、実施の形態３に係る携帯端末１Ｂについて説明する。図７は、実施の形態３に係る携帯端末１Ｂの機能ブロック図である。
【００４３】
図７示す携帯端末１Ｂが図２に示す携帯端末１と異なる点は、（１）外部接続検出部１８０と電池残量測定部１９０とが追加されている点と、（２）外部接続部１７０の機能を電力出力部１７１と電力入力部１７２とスイッチ１７３とに分離している点と、（３）出力設定部１４０の代わりに出力設定部１４０Ａを設けた点である。以下、主に変更点を説明し、実施の形態１と共通する構成については、同じ参照符号を付記し、その詳細な説明を省略する。
【００４４】
外部接続検出部１８０は、外部接続部１７０が外部接続されているか否かを検出し、その検出結果を制御部１００に通知する。
【００４５】
制御部１００は、外部接続検出部１８０の検出結果に基づき、外部接続部１７０がケーブル２を介して他の電気機器３と接続されていると判定した場合には、出力設定部１４０Ａの設定を行う。また、制御部１００は、外部接続検出部１８０の検出結果に基づき、外部接続部１７０がケーブル２などにより他の電気機器３と接続されていないと判定した場合には、制御部１００は出力設定部１４０Ａの設定を行わない。
【００４６】
また、出力設定部１４０Ａは、制御部１００により出力設定が行われるとスイッチ１７３を電力出力部１７１側に切り替え接続する。なお、外部接続部１７０が外部接続されていない場合は、他の電気機器３への電力供給ができないことをユーザに表示部１１０を介して通知し、出力設定部１４０Ａの設定を行わない。
【００４７】
電池残量測定部１９０は、電池１５０の電力の残量を測定する。本実施の形態では、電池残量測定部１９０により測定された電池１５０の電力の残量に基づき、予め他の電気機器３への電力供給量を指定する。ここで、他の電気機器３への電力供給量とは、電池１５０の電力の残量が、操作部１２０のユーザ操作により指定された残量に到達するまでに消費された電池１５０の電力量である。
【００４８】
ユーザが指定する方法の一例として、他の電気機器３への電力供給を自動的に終了する電池残量を指定する方法がある。電池１５０の残量設定の一例を図８に示す。図８に示すように、ユーザは操作部１２０により表示部１１０で電池残量を任意の割合（単位：％）に指定することができる。
【００４９】
電池残量測定部１９０により測定された電池１５０の電力の残量が、操作部１２０により指定された残量に到達した場合には、制御部１００は、出力設定部１４０Ａに電力供給設定の終了を通知する。
【００５０】
出力設定部１４０Ａは電力供給設定が解除されるとスイッチ１７３を電力入力部１７２側に切り替え接続する。これにより、実施の形態３に係る携帯端末１Ｂでは、予め他の電気機器３への電力供給量を指定することで、電池１５０の電力全てを使い果たしてしまうことを防ぐことができる
【００５１】
なお、本実施の形態において、他の電気機器３への電力供給を終了する例として記載したが、制御部１００が内蔵する報知デバイスにより、電力供給を終了せずにアラームを鳴らすといった方法を用いてもよい。さらに、電池残量測定部１９０により測定された電池１５０の電力の残量が、指定された残量に到達する少し前にアラームを鳴らし、この指定された残量に到達した場合には電力供給を終了するといったことも可能である。 
【００５２】
なお、上記各実施の形態では、他の電気機器３への電力供給デバイスにより、携帯端末の電池を用いて、身近にある様々な電気機器の駆動が可能となる。また、携帯端末を燃料から電力への変換器として活用すること、又は太陽光発電を搭載する携帯端末での余剰電力の有効活用など、環境に配慮した活用形態も可能となる。
【００５３】
なお、上記各実施の形態の携帯端末は、携帯電話機などの電子機器に適用可能である。
【産業上の利用可能性】
【００５４】
本発明に係る携帯端末は、携帯端末の電池により様々な種類の電気機器を駆動させるための電力供給デバイスを提供することができるという効果を有し、携帯電話機等として有用である。
【符号の説明】
【００５５】
１、１Ａ、１Ｂ      携帯端末
１００              制御部
１１０              表示部
１２０              操作部
１３０              出力タイプ情報記憶部
１４０、１４０Ａ    出力設定部
１５０              電池
１６０              出力電力生成部
１７０              外部接続部
１７１              電力出力部
１７２              電力入力部
１７３              スイッチ
１８０              外部接続検出部
１９０              電池残量測定部
【図１】
2012222936.tif 000003
【図２】
2012222936.tif 000004
【図３】
2012222936.tif 000005
【図４】
2012222936.tif 000006
【図５】
2012222936.tif 000007
【図６】
2012222936.tif 000008
【図７】
2012222936.tif 000009
【図８】
2012222936.tif 000010